(57)【要約】【課題】  壁面形成領域の様々な間隔に応じて壁面プレートの長さを調節することができ、再利用および転用することができるスライド式仮設壁面プレートおよびこのスライド式デッキプレートによる壁面施工方法を提供すること。【解決手段】  仮設壁面となる内側面を備えた金属板製の第１の壁面プレートと、仮設壁面となる内側面を備えた金属板製の第２の壁面プレートとを有し、前記両壁面プレートは、連結長調節機構によって連結長を調節自在に連結されていることを特徴とする。【選択図】      図１
2005120617.tif 000002
【特許請求の範囲】
【請求項１】
壁面施工時に仮設壁面部材として設置されるスライド式仮設壁面プレートにおいて、
仮設壁面となる内側面を備えた金属板製の第１の壁面プレートと、仮設壁面となる内側面を備えた金属板製の第２の壁面プレートとを有し、前記両壁面プレートは、連結長調節機構によって連結長を調節自在に連結されていることを特徴とするスライド式仮設壁面プレート。
【請求項２】
前記両壁面プレートは、仮設壁面となるフラットな内側面を形成するプレート本体と、このプレート本体の外側面に固定されるとともに両壁面プレートの連結方向に長い少なくとも１本のスライドホルダをそれぞれ有しており、前記連結長調節機構は、前記両壁面プレートの前記プレート本体およびスライドホルダを互いに雄雌状にして連結するように形成されていることを特徴とする請求項１に記載のスライド式仮設壁面プレート。
【請求項３】
前記両壁面プレートのプレート本体は、連結方向と直交する両端部に隣位する壁面プレートと重畳して連結される重畳連結部を有していることを特徴とする請求項１および請求項２のいずれか１項に記載のスライド式仮設壁面プレート。
【請求項４】
前記各壁面プレートの内側面に、連結方向に直交する方向に延在して突出したリブを、連結方向および連結方向に直交する方向に整列して複数形成したことを特徴とする請求項１乃至請求項３のいずれか１項に記載のスライド式仮設壁面プレート。
【請求項５】
建物の壁面を形成する壁面施工方法において、
形成すべき壁面の表面に仮設壁面となる内側面を備えた金属板製の第１の壁面レートと、仮設壁面となる内側面を備えた金属板製の第２の壁面プレートとを有し、連結長調節機構によって連結長を調節自在に連結されているスライド式仮設壁面プレートを、壁面形成領域の大きさに合わせて連結長を調節して複数整列配置して仮設壁面を形成し、この仮設壁面の内側に壁面型枠を形成した後コンクリートを打設して壁面を形成することを特徴とする壁面施工方法。
【請求項６】
前記両壁面プレートは、仮設壁面となる内側面を形成するプレート本体と、このプレート本体の外側面に固定されるとともに両壁面プレートの連結方向に長い少なくとも１本のスライドホルダをそれぞれ有しており、前記連結長調節機構は、前記両壁面プレートの前記プレート本体およびスライドホルダを互いに雄雌状にして連結するように形成されていることを特徴とする請求項５に記載の壁面施工方法。
【請求項７】
前記両壁面プレートのプレート本体は、連結方向と直交する両端部に隣位する壁面プレートと重畳して連結される重畳連結部を有していることを特徴とする請求項５および請求項６のいずれか１項に記載の壁面施工方法。
【請求項８】
前記各壁面プレートの内側面に、連結方向に直交する方向に延在して突出したリブを、連結方向および連結方向に直交する方向に整列して複数形成したことを特徴とする請求項５乃至請求項７のいずれか１項に記載の壁面施工方法。
【発明の詳細な説明】
【技術分野】
【０００１】
本発明は壁面施工時に仮設壁材として敷設されるスライド式仮設壁面プレートおよび壁面施工方法に係り、特に、２つの壁面プレートを重畳し、連結長調節機構によって連結長を調節可能とし、様々な幅の仮設壁材として使用することのできるスライド式仮設壁面プレートおよびこのスライド式仮設壁面プレートを使用した壁面施工方法に関する。
【背景技術】
【０００２】
従来から、鉄筋コンクリート造若しくは鉄骨鉄筋コンクリート造の構造物を構築することが盛んに行われている。この構造物にはコンクリート製地下壁、地上壁等の各種の壁が構築される。壁の構築に際しては、コンクリートの法面に沿って型枠を形成し、その型枠内にコンクリートを打設し、ある程度の強度レベルに達するまで養生し、その後に型枠を解体している。
【０００３】
従前はこの型枠が木製であり、森林資材の枯渇問題や、環境問題が発生するおそれがあった。
【０００４】
その問題を解決するために、金属製のリブ付きの鋼板を壁の壁面を形成する法面に設置して壁面を構成することが提案されている（例えば、特許文献１参照）。
【０００５】
【特許文献１】特開平１１−１３１７９５号公報
【発明の開示】
【発明が解決しようとする課題】
【０００６】
しかし、前述したような従来の壁面施工法においては、リブ付き鋼板の幅方向長さが一定のものを利用して壁面を形成するものであるために、壁面の横幅が異なる場合には、その横幅に対応したリブ付き鋼板をそれぞれ用意しなければならず、壁面部材の種類が多くなり、部材管理も煩雑となり、施工コストが高いものとなるという不都合があった。
【０００７】
本発明はこのような問題点に鑑みてなされたものであり、壁面形成領域の様々な間隔に応じて壁面プレートの長さを調節することができ、壁面施工時に壁面レートを再利用および転用することができるスライド式仮設壁面プレートおよびこのスライド式仮設壁面プレートによる壁面施工方法を提供することを目的としている。
【課題を解決するための手段】
【０００８】
前述した目的を達成するため本発明に係るスライド式仮設壁面プレートの特徴は、仮設壁面となる内側面を備えた金属板製の第１の壁面プレートと、仮設壁面となる内側面を備えた金属板製の第２の壁面プレートとを有し、前記両壁面プレートは、連結長調節機構によって連結長を調節自在に連結されている点にある。
【０００９】
このような構成を採用したことにより、壁面を形成すべき壁面形成領域の様々な大きさに応じて連結長さを調節することができる。
【００１０】
また、本発明に係るスライド式仮設壁面プレートの他の特徴は、両壁面プレートは、仮設壁面となるフラットな内側面を形成するプレート本体と、このプレート本体の外側面に固定されるとともに両壁面プレートの連結方向に長く少なくとも１本のスライドホルダをそれぞれ有しており、連結長調節機構は、両壁面プレートのプレート本体およびスライドホルダを互いに雄雌状にして連結するように形成されている点にある。
【００１１】
このような構成を採用したことにより、両壁面プレートの連結を強固にすることができ、コンクリート打設時に、コンクリートの重量により両壁面プレートが連結部から歪むことを防止することができる。
【００１２】
また、本発明に係るスライド式仮設壁面プレートの他の特徴は、両壁面プレートのプレート本体は、連結方向と直交する両端部に隣位する壁面プレートと重畳して連結される重畳連結部を有している点にある。
【００１３】
このような構成を採用したことにより、複数のスライド式仮設壁面プレートを整列配置する際、各スライド式仮設壁面プレートの位置合わせおよび連結を容易に行なうことができる。
【００１４】
また、本発明に係るスライド式仮設壁面プレートの他の特徴は、各壁面プレートの内側面に、連結方向に直交する方向に延在して突出したリブを、連結方向および連結方向に直交する方向に整列して複数形成した点にある。
【００１５】
このような構成を採用したことにより、各壁面プレートの連結方向と直交する方向の強度を向上させることができる。
【００１６】
また、本発明に係る壁面施工方法の特徴は、形成すべき壁面の内側に仮設壁面となる内側面を備えた金属板製の第１の壁面プレートと、仮設壁面となる内側面を備えた金属板製の第２の壁面プレートとを有し、連結長調節機構によって連結長を調節自在に連結されているスライド式仮設壁面プレートを、壁面形成領域の大きさに合わせて連結長を調節して複数整列配置して仮設壁面を形成し、この仮設壁面の内側に壁面型枠を形成した後コンクリートを打設して壁面を形成する点にある。
【００１７】
このような構成を採用したことにより、壁面形成領域において、例えば形成された対向する柱と柱の様々な間隔に応じて連結長さを調節することができ、様々な箇所に転用が可能である。
【００１８】
また、本発明に係る壁面施工方法の他の特徴は、両壁面プレートは、仮設壁面となる内側面を形成するプレート本体と、このプレート本体の外側面に固定されるとともに両壁面プレートの連結方向に長い少なくとも１本のスライドホルダをそれぞれ有しており、連結長調節機構は、両壁面プレートのプレート本体およびスライドホルダを互いに雄雌状にして連結するように形成されている点にある。
【００１９】
このような構成を採用したことにより、両壁面プレートの連結を強固にすることができ、コンクリート打設時に、コンクリートの重量により両壁面プレートが連結部から歪むことを防止することができる。
【００２０】
また、本発明に係る壁面施工方法の他の特徴は、両壁面プレートのプレート本体は、連結方向と直交する両端部に隣位する壁面プレートと重畳して連結される重畳連結部を有している点にある。
【００２１】
このような構成を採用したことにより、複数のスライド式仮設壁面プレートを整列配置する際、各スライド式仮設壁面プレートの位置合わせおよび連結を容易に行なうことができる。
【００２２】
また、本発明に係る壁面施工方法の他の特徴は、各壁面プレートの内側面に、連結方向に直交する方向に延在して突出したリブを、連結方向および連結方向に直交する方向に整列して複数形成した点にある。
【００２３】
このような構成を採用したことにより、各壁面プレートの連結方向と直交する方向の強度を向上させることができる。
【発明の効果】
【００２４】
このように本発明のスライド式仮設壁面プレートによれば、壁面形成領域の様々な間隔に応じて壁面プレートの長さを調節することができ、様々なものに転用が可能となる。
【００２５】
また、本発明の壁面施工方法によれば、形成された梁の断面に欠損が生じることを防止することができる。また、壁面プレートを再利用することができ、コストを大幅に低減することができる。
【発明を実施するための最良の形態】
【００２６】
以下、図面を用いて本発明に係るスライド式仮設壁面プレートおよびこのスライド式仮設壁面プレートによる壁面施工方法の実施形態について説明する。
【００２７】
図１は本発明に係るスライド式仮設壁面プレートの概略平面図、図２は本発明に係るスライド式仮設壁面プレートを構成する２つの壁面プレートの単体と組立て状態における断面図、図３はスライド式仮設壁面プレートの正面を示す図１の概略平面図、図４はスライド式仮設壁面プレートを組み立てた状態を示す斜視図、図５は本発明の壁面施工方法の実施形態を示す概略斜視図、図６、図７はそれぞれ本発明に係るスライド式仮設壁面プレートの他の実施形態を示す断面図である。
【００２８】
本実施形態におけるスライド式仮設壁面プレート１は、図１および図２に示すように、第１の壁面プレート１ａと第２の壁面プレート１１ａが連結長調節機構８をもって連結長を調節自在にして連結されて構成されている。
【００２９】
前記第１の壁面プレート１ａは、スチール等の鋼板製の壁面プレート本体２を有しており、その内側面２ａが略長方形状であって、連結方向と直交する方向の両側端が外方に折曲されて上面２ｂおよび下面２ｃが形成されている。この上面２ｂと下面２ｃとは上下を逆転させて用いてもよい。前記上面２ｂの外方端には、前記壁面プレート本体２の内側に凹状に折曲した折曲部３が形成され、前記下面２ｃの外方端には、前記壁面プレート本体２の外側に凹状に折曲した折曲部４が形成されている。前記壁面プレート本体２の外側面２ｄには、３本の断面略四角形状の筒状のスライドホルダ５が連結方向に延在して配設され、前記各スライドホルダ５は連結長調節機構８によって連結調節する長さ以外の部分において前記外側面２ｄに内側折曲部５ａ，５ａを溶接等により固着され、残る部分は前記外側面２ｄから離脱されている。この離脱部（図示せず）に、後述する第２の壁面プレート１１ａが挿入され、前記各スライドホルダ５を、後述する第２の壁面プレート１１ａの各スライドホルダ１５に挿入することにより連結長調節機構８が形成される。
【００３０】
前記第２の壁面プレート１１ａは、前記第１の壁面プレート１ａと同様の材料から形成されており、内側面１２ａが略長方形状の壁面プレート本体１２を有しており、連結方向と直交する方向の両側端が外方に折曲されて上面１２ｂおよび下面１２ｃが形成されている。前記前記上面１２ｂの外方端には、前記壁面プレート本体１２の内側に凹状に折曲した折曲部１３が形成され、前記下面１２ｃの外方端には、前記壁面プレート本体１２の外側に凹状に折曲した折曲部１４が形成されている。前記壁面プレート本体１２の外側面１２ｄには、３本の断面略四角形状の筒状のスライドホルダ１５が連結方向に延在して、外側折曲部１５ａ，１５ａを溶接等により固着されている。
【００３１】
図２（ａ）に示すように、前記壁面プレート本体２の折曲部４は、壁面プレート本体２の折曲部３よりも大きく形成されている。図２（ｂ）に示すように、前記壁面プレート本体１２の折曲部１４は、壁面プレート本体１２の折曲部１３よりも大きく形成されている。また、図２（ｃ）に示すように、前記壁面レート本体１２の折曲部１４は、壁面プレート本体２の折曲部４よりも大きく丁度内側に収容できる大きさに形成されており、壁面プレート本体１２の折曲部１３は、壁面プレート本体２の折曲部３よりも小さく、丁度内側に収納される大きさに形成されている。
【００３２】
また、図２（ｃ）に示すように、壁面プレート本体１２の外側面１２ｄに固着された各スライドホルダ１５の筒状の大きさは、壁面プレート本体２の外側面２ｄに配設された各スライドホルダ５を丁度内側に収納できる大きさに形成されている。
【００３３】
さらに、壁面プレート本体２の内側面２ａおよび壁面プレート本体１２の内側面１２ａには、図３に示すように、幅方向（連結方向と直交する方向）に延在して内面側に２ｍｍ程度突出したリブ６が幅方向および連結方向に整列して形成されている。
【００３４】
このような構成からなる第１の壁面プレート１ａと第２の壁面プレート１１ａにおいて、図２（ｃ）に示すように、前記壁面プレート本体１２を、前記壁面プレート本体２の外側面２ｄの各スライドホルダ５が離脱している離脱部から挿入するようにして、連結長調節機構８を用いて雌雄状にして両者を連結する。この時、同時に、壁面プレート本体２の折曲部３の内側に壁面プレート本体１２の折曲部１３を重畳しながら挿入し、壁面プレート本体２の折曲部４を壁面プレート本体１２の折曲部１４の内側に上方から重畳しながら挿入し、さらに、壁面プレート本体２の外側面２ｄに配設された各スライドホルダ５を、壁面レート本体１２の外側面１２ｄに配設された各スライドホルダ１５内に挿入してスライド式仮設壁面プレート１が完成される。
【００３５】
こうして形成された本実施形態のスライド式仮設壁面プレート１は、壁面プレート本体２の外側面２ｄに配設された各スライドホルダ５の離脱部の連結方向の幅の範囲で、連結長調節機構８によって壁面プレート本体１２をスライド可能とし、建設現場において、様々な間隔で対向する柱の間に設置することができ、広い範囲で転用が可能となる。また、建設現場において、前記スライド式仮設壁面プレート１を連結方向と直交する方向（本実施形態において幅方向）に複数整列配置する際には、図２（ｃ）に示すように、隣位するスライド式仮設壁面プレート１の幅方向両端部に折曲げ形成されている側面と折曲部（２ｂと３，２ｃと４，１２ｂと１３，１２ｃと１４）からなる重畳連結部を互いに重畳させることにより、各スライド式仮設壁面プレート１を隙間を空けないようにして簡単に配置することができる。
【００３６】
また、前記スライドホルダ５，１５は、面で壁面プレート本体２，１２を支持しているため、コンクリートが打設された場合に、壁面プレート本体２，１２が変形することを防止することができる。
【００３７】
さらに、各壁面プレート本体２，１２の内側面２ａ，１２ａに複数形成されたリブ６により、各壁面プレート本体２，１２の幅方向の強度を向上させることができる。
【００３８】
つぎに、前記スライド式仮設壁面プレート１を使用した本発明の壁面施工方法について説明する。
【００３９】
本発明の壁面施工方法は、図５に示すように、例えば床にアングル材製の固定ステー２１を固着ボルト２２をもって固定し、この固定ステー２１に複数本の柱部材２３を立設し、これらの柱部材２３の内側に図３に示すように予め長さ調節して組み立ててあるスライド式仮設壁面プレート１をボルト・ナット等の緊締具２４により内側面２ａ，１２ａを壁面を形成する位置に合わせて固定する。壁面が上下に長い場合には、図５に示すように、複数のスライド式仮設壁面プレート１を上下に連結させて固着する。この場合、上下のスライド式仮設壁面プレート１の上面２ｂ、１２ｂと下面２ｃ、１２ｃとを重畳させるようにして連結させる。
【００４０】
つぎに、複数のスライド式仮設壁面プレート１が整列配置されて形成された仮設壁面２０の内側に、鉄筋からなる壁面型枠（図示せず）を形成した後、コンクリート（図示せず）を打設する。
【００４１】
そして、流入されたコンクリート（図示せず）が固化した後、仮設した前記固定ステー２１、柱部材２３およびスライド式仮設壁面プレート１を取外すことにより壁面（図示せず）が完成する。
【００４２】
以上説明したように、本発明の壁面施工方法によれば、スライド式仮設壁面プレート１の２つの壁面プレート２，１２のスライド機能により壁面形成領域となる様々な間隔に対応することができる。また、スライド式仮設壁面プレート１を再利用することが可能である。また、スライド機能によりスライド式仮設壁面プレート１を様々な長さに調節することが可能であるため、様々なものに転用することができる。
【００４３】
なお、本発明は、前述した実施形態に限定されるものではなく、必要に応じて種々の変更が可能である。例えば、本実施形態において両壁面プレート本体２，１２の内側面２ａ，１２ａは略長方形状であるが、これに限定されるものではなく、正方形状等任意の形状であってもよい。また、本実施形態において、両壁面レート本体２，１２の外側面２ｄ，１２ｄに配設された各スライドホルダ５，１５の断面形状は四角形状であるが、三角形状等任意の形状であってもよい。さらに、本実施形態において、両壁面プレート本体２，１２には、それぞれ折曲部３，４，１３，１４が形成されているが、図６（ａ），（ｂ），（ｃ）に示すように、外側に折曲した折曲部４，１４のみを形成してもよい。このとき、各折曲部４，１４は、両壁面プレート本体２，１２を重畳し、複数のスライド式仮設壁面レート１を整列して配置した際に、他のスライド式仮設壁面プレート１の側面２ｂ，１２ｂが内側に丁度収納できる大きさに形成されていることが好ましい。また、図７（ａ），（ｂ），（ｃ）に示すように、各壁面プレート本体２，１２の折曲部を外側に折曲した折曲部４，１４のみ形成するとともに、この折曲部４，１４を凹形状ではなくレ字状に形成してもよい。このとき、複数のスライド式仮設壁面プレート１を整列して配置した際に、他のスライド式仮設壁面プレート１の側面２ｂ，１２ｂが内側に丁度収納できるように、側面２ｂ，１２ｂを短く形成することが好ましい。
【図面の簡単な説明】
【００４４】
【図１】本発明に係るスライド式仮設壁面プレートの概略平面図
【図２】（ａ）〜（ｃ）は図１のＡ−Ａ線に沿った断面図であり、（ａ）および（ｂ）はそれぞれ本発明に係るスライド式仮設壁面プレートを構成する２つの壁面プレートの単体を示す縦断面図、（ｃ）は両壁面プレートの連結状態を示す縦断面図
【図３】図１の概略平面図
【図４】本発明のスライド式仮設壁面プレートを組み立てた状態を示す斜視図
【図５】本発明の壁面施工方法の実施形態を示す概略斜視図
【図６】本発明に係るスライド式仮設壁面プレートの他の実施形態の１つを示した断面図
【図７】本発明に係るスライド式仮設壁面プレートの他の実施形態の１つを示した断面図
【符号の説明】
【００４５】
１  スライド式仮設壁面プレート
２  壁面プレート本体
３  折曲部
４  折曲部
５  スライドホルダ
６  リブ
８  連結長調節機構
１２  壁面プレート本体
１３  折曲部
１４  折曲部
１５  スライドホルダ
１６  壁面
２０  仮設壁面
２１  固定ステー
２２  固着ボルト
２３  柱部材
２４  緊締具
【図１】
2005120617.tif 000003
【図２】
2005120617.tif 000004
【図３】
2005120617.tif 000005
【図４】
2005120617.tif 000006
【図５】
2005120617.tif 000007
【図６】
2005120617.tif 000008
【図７】
2005120617.tif 000009